(57)【要約】【課題】抜け止め防止をより確実に行うことができる清掃用具及び清掃部材を提供する。【解決手段】一側面に清掃部３を備えた清掃部材５と、この清掃部材５を着脱交換自在な保持部材７とを備えている清掃用具１であって、前記保持部材７は、前記清掃部材５に備えた係止穴９内へ挿入自在な挿入本体１１の基端部側に把持柄１５を備え、かつ前記基端部側に係止突起部２１を備えており、前記清掃部材５は、前記係止穴９への前記挿入本体１１の挿入時に、前記把持柄１５によって押進される被押進部３１を前記係止穴９の入口部２７に備えると共に、前記被押進部３１の移動時に引っ張られて前記係止突起部２１に係止される抜け止め係止部３３を、前記被押進部３１に対応して前記係止穴９の入口部２７に備えている。【選択図】図２
2007215826.tif 000002
【特許請求の範囲】
【請求項１】
一側面に清掃部を備えた清掃部材と、この清掃部材を着脱交換自在な保持部材とを備えている清掃用具であって、前記保持部材は、前記清掃部材に備えた係止穴内へ挿入自在な挿入本体の基端部側に把持柄を備え、かつ前記基端部側に係止部を備えており、前記清掃部材は、前記係止穴への前記挿入本体の挿入時に、前記把持柄によって押進される被押進部を前記係止穴の入口部に備えると共に、前記被押進部の移動時に引っ張られて前記係止部に係止される抜け止め係止部を、前記被押進部に対応して前記係止穴の入口部に備えていることを特徴とする清掃用具。
【請求項２】
請求項１に記載の清掃用具において、前記把持柄は、前記被押進部を押進し持ち上げるために、前記挿入本体に対して交差する方向の立ち上がり部を備え、前記係止部は、前記挿入本体とほぼ同一平面に設けてあることを特徴とする清掃用具。
【請求項３】
一側面に清掃部を備えた清掃部材であって、一側面に清掃部を備えた清掃基材に、当該清掃基材とほぼ同一形状のカバー基材部を重ねて係止穴を備えた袋状に形成し、上記係止穴の入口部におけるカバー基材部の端縁部付近を曲げるように前記端縁部を持ち上げたとき、前記入口部における清掃基材の端縁部が引っ張られて持ち上がる構成としてあることを特徴とする清掃部材。
【請求項４】
請求項３に記載の清掃部材において、前記清掃基材及びカバー基材部は一方向に長く形成してあり、前記係止穴の入口部は前記清掃基材及びカバー基材部の長手方向の一端縁部において前記係止穴とほぼ同一幅に形成してあることを特徴とする清掃部材。
【請求項５】
請求項３又は４に記載の清掃部材において、前記カバー基材部側の一部に、つまみ部を備えていることを特徴とする清掃部材。
【発明の詳細な説明】
【技術分野】
【０００１】
本発明は、一側面に清掃部を備えた清掃部材と、この清掃部材を着脱交換自在な保持部材とを備えている清掃用具及び清掃部材に係り、さらに詳細には、前記保持部材に対して前記清掃部材の装着を容易に行うことができ、かつ、保持部材に対する清掃部材の装着後の抜け止め防止が確実に行われ得る清掃用具及び清掃部材に関する。
【背景技術】
【０００２】
従来、清掃用具として、一側面に清掃部を備えた清掃部材と、この清掃部材を着脱交換自在の保持部材とを備えている構成のものは各種提案されている（例えば特許文献１参照）。
【特許文献１】実用新案登録第３１０７９５０号
【発明の開示】
【発明が解決しようとする課題】
【０００３】
前記特許文献１に記載の清掃用具１０１は、図５に示すように、一側面に清掃部１０３を備えた清掃部材１０５と、この清掃部材１０５を着脱自在の保持部材１０７とを備えた構成である。そして、前記保持部材１０７は、前記清掃部材１０５に備えた係止穴１０９内へ挿入自在な挿入本体１１１の基端部側に把持柄１１３を備えた構成であって、前記挿入本体１１１には、抜け止め防止用の係止突起１１５が複数箇所に備えられている。
【０００４】
上記構成により、清掃部材１０５に備えた係止穴１０９に対して保持部材１０７の挿入本体１１１を挿入することによって、清掃部材１０５と保持部材１０７とを一体化することができ、清掃用具１０１として使用することができる。すなわち、保持部材１０７に対して清掃部材１０５を着脱交換して使用することができる。
【０００５】
前記清掃用具１０１において、前記清掃部材１０５と保持部材１０７との一体化の保持は、清掃部材１０５の係止穴１０９に保持部材１０７の挿入本体１１１を挿入したとき、上記挿入本体１１１に備えた係止突起１１５と前記係止穴１０９の内面との摩擦によって行われるものである。したがって、清掃用具１０１の使用時に、保持部材１０７から清掃部材１０５が外れることがあるという問題がある。
【０００６】
そこで、前記係止突起１１５を例えば鉤状に形成して、清掃部材１０５の取外しを行うときに係止突起１１５に引っ掛かるようにすることも可能であるが、この場合には取り外しが難しくなるという問題を生じることになる。
【課題を解決するための手段】
【０００７】
本発明は前述のごとき従来の問題に鑑みてなされたもので、一側面に清掃部を備えた清掃部材と、この清掃部材を着脱交換自在な保持部材とを備えている清掃用具であって、前記保持部材は、前記清掃部材に備えた係止穴内へ挿入自在な挿入本体の基端部側に把持柄を備え、かつ前記基端部側に係止部を備えており、前記清掃部材は、前記係止穴への前記挿入本体の挿入時に、前記把持柄によって押進される被押進部を前記係止穴の入口部に備えると共に、前記被押進部の移動時に引っ張られて前記係止部に係止される抜け止め係止部を、前記被押進部に対応して前記係止穴の入口部に備えていることを特徴とするものである。
【０００８】
また、前記清掃用具において、前記把持柄は、前記被押進部を押進し持ち上げるために、前記挿入本体に対して交差する方向の立ち上がり部を備え、前記係止部は、前記挿入本体とほぼ同一平面に設けてあることを特徴とするものである。
【０００９】
また、一側面に清掃部を備えた清掃部材であって、一側面に清掃部を備えた清掃基材に、当該清掃基材とほぼ同一形状のカバー基材部を重ねて係止穴を備えた袋状に形成し、上記係止穴の入口部におけるカバー基材部の端縁部付近を曲げるように前記端縁部を持ち上げたとき、前記入口部における清掃基材の端縁部が引っ張られて持ち上がる構成としてあることを特徴とするものである。
【００１０】
また、前記清掃部材において、前記清掃基材及びカバー基材部は一方向に長く形成してあり、前記係止穴の入口部は前記清掃基材及びカバー基材部の長手方向の一端縁部において前記係止穴とほぼ同一幅に形成してあることを特徴とするものである。
【００１１】
また、前記清掃部材において、前記カバー基材部側の一部に、つまみ部を備えていることを特徴とするものである。
【発明の効果】
【００１２】
本発明によれば、清掃部材に備えた係止穴に対して保持部材の挿入本体を挿入すると、前記係止穴の入口部に備えられた抜け止め係止部が前記挿入本体の基端部側に備えた係止部に係止されるので、清掃部材と保持部材との一体化が容易であると共に使用時には外れ難くなるものである。そして、保持部材に対して清掃部材を強く引っ張ると、前記係止部から前記抜け止め係止部が外れるので、保持部材に対する清掃部材の着脱交換が比較的容易に行われ得るものである。
【発明を実施するための最良の形態】
【００１３】
図１を参照するに、本発明の実施形態に係る清掃用具１は、一側面に清掃部３を備えた清掃部材５と、この清掃部材５を着脱交換自在な保持部材７とを備えている。なお、清掃部材５の清掃部３として、繊維を束状にした繊維束又は短冊状のシートなどを備えた刷毛の構成として例示してある。しかし、前記清掃部３の構成としては、公知のモップなど種々の構成を採用することができるものである。
【００１４】
前記保持部材７は、図２に示すごとき構成である。すなわち、保持部材７は、前記清掃部材５に備えた係止穴９内へ挿入自在な平板状の挿入本体１１を備えている。この挿入本体１１の先端部１３は、前記係止穴９へ挿入し易いように円弧状の曲面に形成してある。そして、前記挿入本体１１の基端部側には把持柄１５が備えられている。この把持柄１５は、前記挿入本体１１の上面に対して交差する上方向へ適宜に傾斜して延びた立ち上がり部１７を備えると共に上記立ち上がり部１７の端部側に把持部１９を備えた構成である。
【００１５】
さらに、保持部材７における前記挿入本体１１の基端部側には、前記先端部１３とは反対方向へ突出した係止部（係止突起部）２１が備えられている。なお、上記係止部２１は、挿入本体１１に限ることなく、前記把持柄１５における立ち上がり部１７に設けた構成とすることも可能である。この場合、前記立ち上がり部１７は挿入本体１１と一体構成であるから、立ち上がり部１７に係止突起部（係止部）２１を設けた構成であっても、挿入本体１１に係止突起部２１を設けた構成に相当するものである。なお、係止部２１の構成としては、挿入本体１１の基端部側の角部とすることも可能である。
【００１６】
前記清掃部材５は、一側面に前記清掃部３を備えた清掃基材２３に、この清掃基材２３とほぼ同一形状，寸法のカバー基材部２５を重ね合わせて備えた構成であって、上記清掃基材２３とカバー基材部２５の周縁部は、接着又は縫着などの適宜の一体化手段によって一体化してある。上記清掃基材２３及びカバー基材部２５は、一般的なモップと同様の材質によって構成してあって、一方向に長く形成してある。そして、前述のごとく周縁部を一体化することによって清掃基材２３とカバー基材部２５との間に前記係止穴９を備えた構成である。
【００１７】
前記清掃基材２３，カバー基材部２５の長手方向の一端側に前記係止穴９の開口部（入口部）２７が形成してある。前記入口部（開口部）２７は、前記清掃基材２３とカバー基材部２５の周縁の一端縁部の一体化してある一体化端部２９Ａ，２９Ｂの間に形成してあるものであって、入口部２７の幅寸法（一体化端部２９Ａ，２９Ｂの間隔寸法）は、前記係止穴９の幅寸法（前記挿入本体１１の幅寸法より僅かに大きな幅寸法）とほぼ同一寸法に形成してある。
【００１８】
前記清掃基材２３，カバー基材部２５の長手方向の寸法は、前記保持部材７における前記挿入本体１１全体が前記係止穴９内に入り込み可能なように、前記挿入本体１１の長手方向の寸法よりも大きく構成してある。そして、前記係止穴９に対して前記挿入本体１１を前記入口部（開口部）２７から挿入するとき、前記保持部材７の前記立ち上がり部１７によって押進される被押進部３１を前記入口部２７に備えている。さらに入口部２７には、前記被押進部３１が前記立ち上がり部１７によって押進されて次第に上方に移動されるときに引っ張られて、前記係止突起部（係止部）２１の端縁側を覆うように上方向に移動して、上記係止部２１に係止される抜け止め係止部３３が前記被押進部３１に対応し（対向して）備えられている。
【００１９】
ところで、前記清掃部材５の構成として、清掃基材２３とカバー基材部２５とを別個に設け、上記清掃基材２３とカバー基材部２５とを重ね合せて周縁部を一体化した場合について説明した。しかし、清掃部材５の構成としては、清掃基材２３の両側にカバー基材部２５を、例えば翼を広げた形態と同様の構成に予め一体に備え、上記翼を折り畳むように、前記カバー基材部２５を清掃基材２３上に両側から折り重ねて、カバー基材部２５の重なり合った部分を接着，縫着等によって一体化した構成とすることも可能である。すなわち、清掃基材２３とカバー基材部２５とを予め一体に設けた構成としてもよいものである。
【００２０】
以上のごとき構成において、清掃部材５の入口部２７から保持部材７における挿入本体１１を係止穴９内に挿入し、上記保持部材７の立ち上がり部１７が前記入口部２７に達すると、上記入口部２７の端部においてカバー基材部２５側に備えられている被押進部３１が前記立ち上がり部１７によって押進される。したがって、前記係止穴９に対する挿入本体１１の挿入が進行すると、図３に示すように、前記被押進部３１は前記立ち上がり部１７に対して相対的に次第に上昇されることになる。すなわちカバー基材部２５の入口部２７付近は、立ち上がり部１７に沿って上方向に折り曲げられる態様となる。
【００２１】
前述のごとく、カバー基材部２５に備えた被押進部３１が前記立ち上がり部１７に沿って相対的に上方向に移動されると、清掃基材２３の入口部２７付近が前記被押進部３１によって引っ張られる。そして、前記挿入本体１１の基端部側に備えた前記係止突起部２１が前記入口部２７を越えて係止穴９内に進入すると、図３に示すように、清掃基材２３の入口部２７付近に備えた抜け止め係止部３３が前記被押進部３１に追従して上方向へ折り曲げるように移動される。すなわち、前記抜け止め係止部３３は、前記係止突起部２１を覆うように上方向へ移動し、挿入本体１１が係止穴９から容易に抜け出ないように、係止突起部２１を係止することになる。
【００２２】
上記説明より理解されるように、清掃部材５の係止穴９内に保持部材７における挿入本体１１を挿入した状態においては、前記入口部（開口部）２７は、前記係止穴９から前記挿入本体１１を抜き出す方向に対して交差する方向を指向して開口しているものである。したがって、図３に示すごとき状態において、清掃部材５の係止穴９から保持部材７の挿入本体１１を右方向へ引き抜こうとすると、挿入本体１１に備えた係止突起部２１が、上記引き抜き方向に対して交差した方向の抜け止め係止部３３に引っ掛かる態様となる。すなわち、保持部材７の挿入本体１１からの清掃部材５の抜け止めを効果的に行うことができるものである。
【００２３】
なお、保持部材７に対して清掃部材５を強力に引っ張ることにより、保持部材７から清掃部材５を取り外すことができるものであり、保持部材７に対して清掃部材５を着脱交換して使用することができるものである。
【００２４】
ところで、保持部材７からの清掃部材５の取外しを行い易いように、図４（Ａ）に示すように、清掃部材５の先端部側にタブ状のつまみ３５を設けた構成や、図４（Ｂ）に示すように、清掃部材５の適宜位置に紐状又は帯状のつまみ３７を設けることが望ましいものである。このような構成とすることにより、汚れた掃除部３に触れることなく、保持部材７から掃除部材５を取り外すことができるものである。
【００２５】
以上のごとき説明より理解されるように、清掃部材５における係止穴９に対して保持部材７における挿入本体１１を挿入すると、前記係止穴９の開口部（入口部）２７は前記挿入本体１１の挿入方向に対して交差する方向を指向して、前記挿入本体１１に備えた係止突起部２１を係止するので、すなわち前記入口部２７に備えた抜け止め係止部３３と前記係止突起部２１との引っ掛かりを生じるので、保持部材７からの清掃部材５の抜け止めを効果的に行うことができるものである。
【図面の簡単な説明】
【００２６】
【図１】本発明の実施形態に係る清掃用具の斜視説明図である。
【図２】上記清掃用具の保持部材と清掃部材の斜視説明図である。
【図３】清掃用具の断面説明図であった。
【図４】清掃部材の別の実施形態の説明図である。
【図５】従来の清掃用具の説明図である。
【符号の説明】
【００２７】
１    清掃用具
３    清掃部
５    清掃部材
７    保持部材
９    係止穴
１１    挿入本体
１５    把持柄
１７    立ち上がり部
１９    把持部
２１    係止突起部（係止部）
２３    清掃基材
２５    カバー基材部
２７    開口部（入口部）
３１    被押進部
３３    抜け止め係止部
３５，３７    つまみ
【図１】
2007215826.tif 000003
【図２】
2007215826.tif 000004
【図３】
2007215826.tif 000005
【図４】
2007215826.tif 000006
【図５】
2007215826.tif 000007
【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
一側面に清掃部を備えた清掃部材と、この清掃部材を着脱交換自在な保持部材とを備えている清掃用具であって、前記保持部材は、前記清掃部材の長手方向の一端部に備えた、係止穴の入口部内へ挿入自在な挿入本体の基端部側に、当該挿入本体の上面に対して交差する上方向へ傾斜して延びた立ち上がり部を備えた把持柄を備え、かつ前記基端部側に係止部を備えており、前記清掃部材は、前記係止穴への前記挿入本体の挿入時に、前記把持柄に備えた前記立ち上がり部によって押進されて、前記立ち上がり部に沿って上方向へ移動される被押進部を前記入口部に備えると共に、前記被押進部の移動に追従して上方向へ折曲がるように移動して前記係止部を覆い当該係止部に係止される抜け止め係止部を、前記被押進部に対向して前記入口部に備えていることを特徴とする清掃用具。
【請求項２】
一側面に清掃部を備え一方向に長い清掃部材であって、一側面に前記清掃部を備えた清掃基材に、当該清掃基材とほぼ同一形状のカバー基材部を重ねて係止穴を備えた袋状に形成してあり、上記係止穴の入口部は、前記清掃基材、カバー基材部の周縁の長手方向の一端縁部を一体化した一体化端部の間に形成した構成であり、前記カバー基材部の端縁部付近を曲げるように持ち上げたとき、前記入口部における清掃基材の端縁部が追従して持ち上がる構成としてあることを特徴とする清掃部材。
【手続補正２】
【補正対象書類名】明細書
【補正対象項目名】０００７
【補正方法】変更
【補正の内容】
【０００７】
本発明は、前述のごとき従来の問題に鑑みてなされたもので、一側面に清掃部を備えた清掃部材と、この清掃部材を着脱交換自在な保持部材とを備えている清掃用具であって、前記保持部材は、前記清掃部材の長手方向の一端部に備えた、係止穴の入口部内へ挿入自在な挿入本体の基端部側に、当該挿入本体の上面に対して交差する上方向へ傾斜して延びた立ち上がり部を備えた把持柄を備え、かつ前記基端部側に係止部を備えており、前記清掃部材は、前記係止穴への前記挿入本体の挿入時に、前記把持柄に備えた前記立ち上がり部によって押進されて、前記立ち上がり部に沿って上方向へ移動される被押進部を前記入口部に備えると共に、前記被押進部の移動に追従して上方向へ折曲がるように移動して前記係止部を覆い当該係止部に係止される抜け止め係止部を、前記被押進部に対向して前記入口部に備えていることを特徴とするものである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、一側面に清掃部を備え一方向に長い清掃部材であって、一側面に前記清掃部を備えた清掃基材に、当該清掃基材とほぼ同一形状のカバー基材部を重ねて係止穴を備えた袋状に形成してあり、上記係止穴の入口部は、前記清掃基材、カバー基材部の周縁の長手方向の一端縁部を一体化した一体化端部の間に形成した構成であり、前記カバー基材部の端縁部付近を曲げるように持ち上げたとき、前記入口部における清掃基材の端縁部が追従して持ち上がる構成としてあることを特徴とするものである。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１７
【補正方法】変更
【補正の内容】
【００１７】
前記清掃基材２３，カバー基材部２５の長手方向の一端側に前記係止穴９の開口部（入口部）２７が形成してある。前記入口部（開口部）２７は、前記清掃基材２３とカバー基材部２５の周縁の一端縁部の一体化してある一体化端部２９Ａ，２９Ｂの間に形成してあるものであって、図２（Ｂ）に示すように、常態においては、前記清掃基材２３，カバー基材２５の長手方向に開口してある。そして、前記入口部２７の幅寸法（一体化端部２９Ａ，２９Ｂの間隔寸法）は、前記係止穴９の幅寸法（前記挿入本体１１の幅寸法より僅かに大きな幅寸法）とほぼ同一寸法に形成してある。
【手続補正８】
【補正対象書類名】明細書
【補正対象項目名】００２０
【補正方法】変更
【補正の内容】
【００２０】
以上のごとき構成において、清掃部材５の入口部２７から保持部材７における挿入本体１１の先端部を係止穴９内に挿入し、清掃基材２３，カバー基材部２５の長手方向へ次第に移動することにより、上記保持部材７の立ち上がり部１７が前記入口部２７に達すると、上記入口部２７の端部においてカバー基材部２５側に備えられている被押進部３１が前記立ち上がり部１７によって押進される。したがって、前記係止穴９に対する挿入本体１１の挿入が進行すると、図３に示すように、前記被押進部３１は前記立ち上がり部１７に対して相対的に次第に上昇されることになる。すなわちカバー基材部２５の入口部２７付近は、立ち上がり部１７に沿って上方向に折り曲げられる態様となり、入口部２７は、前記清掃基材２３，カバー基材部２５の長手方向に対して交差した斜め上方向を指向して開口した態様となる。
【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
一側面に清掃部を備えた清掃部材と、この清掃部材を着脱交換自在な保持部材とを備えている清掃用具であって、前記保持部材は、前記清掃部材の長手方向の一端部に備えた、係止穴の入口部内へ挿入自在な挿入本体の基端部側に、当該挿入本体の上面に対して交差する上方向へ傾斜して延びた立ち上がり部を備えた把持柄を備え、かつ前記基端部側に係止部を備えており、前記清掃部材は、前記係止穴への前記挿入本体の挿入時に、前記把持柄に備えた前記立ち上がり部によって押進されて、前記立ち上がり部に沿って上方向へ移動される被押進部を前記入口部に備えると共に、前記被押進部の移動に追従して上方向へ折曲がるように移動して前記係止部を覆い当該係止部に係止される抜け止め係止部を、前記被押進部に対向して前記入口部に備えていることを特徴とする清掃用具。
【手続補正２】
【補正対象書類名】明細書
【補正対象項目名】０００９
【補正方法】削除
【補正の内容】